(57)【特許請求の範囲】
【請求項１】
通信網を経由して複数の受信機に配送する番組情報を生成する放送番組生成手段を具備する放送局設備において、
前記番組情報の合間に挿入し、前記受信機に配送する複数種類のメッセージを生成するメッセージ生成手段と、
前記放送番組生成手段から出力される番組情報内に前記メッセージを挿入する期間を示す挿入信号を検出する挿入信号検出手段と、
前記受信機の利用者に送信するメッセージの種類を選定するに有効な情報を含む個人情報を蓄積する個人情報蓄積手段と、
前記個人情報蓄積手段から抽出した前記個人情報を解析し、前記メッセージ生成手段が生成する各メッセージの配送先受信機を決定し、前記メッセージ生成手段に通知するメッセージ配送先決定手段と、
前記挿入信号検出手段が前記挿入信号を検出した場合に、前記放送番組生成手段から出力される前記番組情報の送信を停止し、前記メッセージ生成手段が生成する前記各種メッセージを、前記メッセージ配送先決定手段により決定された受信機に配送させる第一の切替手段とを設けることを特徴とする放送番組加入者別メッセージ挿入方式。
【請求項２】
通信網を経由して複数の受信機に配送する番組情報を生成する放送番組生成手段を具備する放送局設備において、
前記番組情報の合間に挿入し、前記受信機に配送する複数種類のメッセージを生成するメッセージ生成手段と、
前記受信機の利用者に送信するメッセージの種類を選定するに有効な情報を含む個人情報を蓄積する個人情報蓄積手段と、
前記個人情報蓄積手段から抽出した前記個人情報を解析し、前記メッセージ生成手段が生成する各メッセージの配送先受信機を決定し、前記メッセージ生成手段に通知するメッセージ配送先決定手段と、
予め定められた期間に、前記放送番組生成手段から出力される前記番組情報の送信を停止し、前記メッセージ生成手段が生成する前記各種メッセージを、前記メッセージ配送先決定手段により決定された受信機に配送させる第二の切替手段とを設けることを特徴とする放送番組加入者別メッセージ挿入方式。
【請求項３】
通信網を経由して複数の受信機に配送する番組情報を生成する放送番組生成手段を具備する放送局設備において、
前記番組情報の合間に挿入し、前記受信機に配送する複数種類のメッセージを生成するメッセージ生成手段と、
前記放送番組生成手段が生成する番組情報を、前記メッセージ生成手段が生成する前記メッセージの種類の数だけ複写して出力する複写手段と、
前記放送番組生成手段から出力される番組情報内に前記メッセージを挿入する期間を示す挿入信号を検出する挿入信号検出手段と、
前記複写手段が出力する前記各番組情報と、前記メッセージ生成手段が生成する前記各メッセージとを一つ宛対にして受信し、前記挿入信号検出手段が前記挿入信号を検出していない場合には、受信する前記番組情報を出力し、前記挿入信号検出手段が前記挿入信号を検出した場合に、受信する前記メッセージを出力する前記メッセージの種類に等しい数の第三の切替手段と、
前記受信機の利用者に送信するメッセージの種類を選定するに有効な情報を含む個人情報を蓄積する個人情報蓄積手段と、
前記個人情報蓄積手段から抽出した前記個人情報に基づき、前記メッセージ生成手段が生成する前記各メッセージの配送先受信機を決定し、前記分配手段に通知するメッセージ配送先決定手段と、
前記各第三の切替手段が出力する前記各メッセージが、前記メッセージ配送先決定手段により決定された受信機に配送される如く、前記各第三の切替手段が出力する前記番組情報およびメッセージを、前記各受信機に配送させる分配手段とを設けることを特徴とする放送番組加入者別メッセージ挿入方式。
【請求項４】
前記複写手段は、前記放送番組生成手段が生成する番組情報を、前記メッセージ生成手段が生成する前記メッセージの種類の数ｎに１を加えた（ｎ＋１）組の番組情報に複写し、前記複写された（ｎ＋１）組の番組情報の内のｎ組の番組情報をｎ個の前記第三の切替手段の各々に１組毎出力し、残る１組の番組情報は前記分配手段に出力し、
前記メッセージ配送先決定手段は、前記個人情報蓄積手段から抽出した前記個人情報に基づき、メッセージの配送が不要な受信機を決定して前記分配手段に通知し、
前記分配手段は、前記メッセージ配送先決定手段から通知されたメッセージの配送が不要な受信機については、前記複写手段から出力された番組情報を配送することを特徴とする請求項３記載の放送番組加入者別メッセージ挿入方式。
【請求項５】
前記第一の切替手段は、前記放送番組生成手段が複数種類の番組情報を生成する場合に、前記各種番組情報に対して前記メッセージ生成手段が生成する前記各種メッセージを、前記メッセージ配送先決定手段により決定された受信機に配送させることを特徴とする請求項１記載の放送番組加入者別メッセージ挿入方式。
【請求項６】
前記第二の切替手段は、前記放送番組生成手段が複数種類の番組情報を生成する場合に、前記各種番組情報に対して前記メッセージ生成手段が生成する前記各種メッセージを、前記メッセージ配送先決定手段により決定された受信機に配送させることを特徴とする請求項２記載の放送番組加入者別メッセージ挿入方式。
【発明の詳細な説明】
【０００１】
【産業上の利用分野】
本発明は、放送局設備における放送番組加入者別メッセージ挿入方式に関し、特に通信網を経由して複数の受信機に配送する番組情報を生成する放送局設備における放送番組加入者別メッセージ挿入方式に関する。
【０００２】
【従来の技術】
図９は従来ある放送システムの一例を示す図である。
図９において、ＡＴＭ交換網（１）は、一組の放送局設備（２）と、複数の受信機（３）〔個々の受信機を（３i ）（但しｉは１乃至ｍ）と称する〕とを収容しており、放送局設備（２）と各受信機（３）との間に、半固定的な通信路を設定している。
【０００３】
またＡＴＭ交換網（１）は、一加入者から送出されるセル形式の情報を、予め定められた複数の加入者に並行して配送する、所謂同報機能を具備している。
従って、放送局設備（２）からＡＴＭ交換網（１）に送出される番組情報の受信契約を結んだ各受信機（３）の電話番号（ＤＮ）を、同報群（３０）として予めＡＴＭ交換網（１）に登録して置き、放送局設備（２）からＡＴＭ交換網（１）に送出する番組情報に、宛先情報として同報群（３０）を示す電話番号（ＤＮ30）を付加することにより、各受信機（３）が並行して受信可能となる。
【０００４】
放送局設備（２）内には、番組生成部（２１）、ＣＭ生成部（２２）、挿入信号検出部（２３）、制御部（２４）および切替部（２５）が設けられている。
番組生成部（２１）は、放送局設備（２）がＡＴＭ交換網（１）に送出する番組情報（Ｂ）を生成する。
【０００５】
ＣＭ生成部（２２）は、放送局設備（２）が番組情報（Ｂ）の合間に挿入して放送するコマーシャル情報（ＣＭ）を生成する。
なお番組生成部（２１）が生成し、出力する番組情報（Ｂ）には、コマーシャル情報（ＣＭ）を挿入すべき期間の開始を示す切替信号（ＳF ）と、前記期間の終了を示す切戻信号（ＳB ）とが挿入されている。
【０００６】
挿入信号検出部（２３）は、番組生成部（２１）が生成し、出力する番組情報（Ｂ）に挿入されている切替信号（ＳF ）および切戻信号（ＳB ）を検出し、制御部（２４）に通知する。
【０００７】
切替部（２５）は、後述の制御部（２４）からの制御により、番組生成部（２１）から挿入信号検出部（２３）を介して出力される番組情報（Ｂ）と、ＣＭ生成部（２２）から出力されるコマーシャル情報（ＣＭ）とを切替え、ＡＴＭ交換網（１）に送出する。
【０００８】
制御部（２４）は、挿入信号検出部（２３）が切替信号（ＳF ）を検出した場合に、ＣＭ生成部（２２）を起動し、コマーシャル情報（ＣＭ）の生成および出力を実行させると共に、通常番組情報（Ｂ）をＡＴＭ交換網（１）に送出している切替部（２５）を、ＣＭ生成部（２２）が出力するコマーシャル情報（ＣＭ）をＡＴＭ交換網（１）に送出する如く切替えさせ、また挿入信号検出部（２３）が切戻信号（ＳB ）を検出した場合に、ＣＭ生成部（２２）を起動停止させ、コマーシャル情報（ＣＭ）の生成および出力を停止させると共に、コマーシャル情報（ＣＭ）を送出中の切替部（２５）を、再び番組情報（Ｂ）を選択して送出させる。
【０００９】
なお切替部（２５）は、番組情報（Ｂ）を送出する場合には、番組生成部（２１）から出力される番組情報（Ｂ）をセル化し、宛先情報として同報用電話番号（ＤＮ30）を付加してＡＴＭ交換網（１）に送出し、またコマーシャル情報（ＣＭ）を送出する場合には、ＣＭ生成部（２２）から出力されるコマーシャル情報（ＣＭ）をセル化し、宛先情報として同報用電話番号（ＤＮ30）を付加してＡＴＭ交換網（１）に送出する。
【００１０】
【発明が解決しようとする課題】
以上の説明から明らかな如く、従来ある放送システムにおいては、放送局設備（２）は、総ての受信機（３）に送出する番組情報（Ｂ）に、一律に同一のコマーシャル情報（ＣＭ）を挿入し、配送していたが、各受信機（３）の利用者〔以後受信機（３）の利用者を、単に受信者（３）と称することとする〕は、年齢、性別、家族構成等が互いに異なる為、或る受信者（３）に有効なコマーシャル情報（ＣＭ）も、他の受信者（３）に必ずしも有効とは限らず、不要なコマーシャル情報（ＣＭ）を受信させられる問題があった。
【００１１】
本発明は、各受信者に極力有効と想定されるメッセージのみを配送可能とすることを目的とする。
【００１２】
【課題を解決するための手段】
図１は本発明の原理を示す図であり、同図(a) は本発明（請求項１）の原理を示し、同図(b) は本発明（請求項２）の原理を示し、同図(c) は本発明（請求項３）の原理を示す。
【００１３】
図１において、１００は放送局設備に設けられた放送番組生成手段である。
２００は、本発明により放送局設備に設けられたメッセージ生成手段である。
３０１は、本発明（請求項１）により放送局設備に設けられた第一の切替手段である。
【００１４】
３０２は、本発明（請求項２）により放送局設備に設けられた第二の切替手段である。
３０３は、本発明（請求項３）により放送局設備に設けられた第三の切替手段である。
【００１５】
４００は、本発明（請求項１および請求項３）により放送局設備に設けられた挿入信号検出手段である。
５００は、本発明により放送局設備に設けられた個人情報蓄積手段である。
【００１６】
６００は、本発明により放送局設備に設けられたメッセージ配送先決定手段である。
７００は、本発明（請求項３）により放送局設備に設けられた複写手段である。
【００１７】
８００は、本発明（請求項３）により放送局設備に設けられた分配手段である。
【００１８】
【作用】
放送番組生成手段（１００）は、通信網を経由して複数の受信機に配送する番組情報を生成する。
【００１９】
メッセージ生成手段（２００）は、番組情報の合間に挿入し、前記受信機に配送する複数種類のメッセージを生成する。
挿入信号検出手段（４００）は、放送番組生成手段（１００）から出力される番組情報内にメッセージを挿入する期間を示す挿入信号を検出する。
【００２０】
個人情報蓄積手段（５００）は、受信機の利用者に送信するメッセージの種類を選定するに有効な情報を含む個人情報を蓄積する。
メッセージ配送先決定手段（６００）は、個人情報蓄積手段（５００）から抽出した個人情報を解析し、メッセージ生成手段（２００）が生成する各メッセージの配送先受信機を決定し、メッセージ生成手段（２００）に通知する。
【００２１】
第一の切替手段（３０１）は、挿入信号検出手段（４００）が挿入信号を検出した場合に、放送番組生成手段（１００）から出力される番組情報の送信を停止し、メッセージ生成手段（２００）が生成する前記各種メッセージを、メッセージ配送先決定手段（６００）により決定された受信機に配送させる。
【００２２】
第二の切替手段（３０２）は、予め定められた期間に、放送番組生成手段（１００）から出力される番組情報の送信を停止し、メッセージ生成手段（２００）が生成する各種メッセージを、メッセージ配送先決定手段（６００）により決定された受信機に配送させる。
【００２３】
複写手段（７００）は、放送番組生成手段（１００）が生成する番組情報を、メッセージ生成手段（２００）が生成するメッセージの種類の数だけ複写して出力する。
【００２４】
第三の切替手段（３０３）は、複写手段（７００）が出力する各番組情報と、メッセージ生成手段（２００）が生成する各メッセージとを一つ宛対にして受信し、挿入信号検出手段（４００）が挿入信号を検出していない場合には、受信する番組情報を出力し、挿入信号検出手段（４００）が挿入信号を検出した場合に、受信するメッセージを出力する。
【００２５】
分配手段（８００）は、各第三の切替手段（３０３）が出力する各メッセージが、メッセージ配送先決定手段（６００）により決定された受信機に配送される如く、各第三の切替手段（３０３）が出力する番組情報およびメッセージを、各受信機に配送させる。
【００２６】
なおメッセージ配送先決定手段（６００）は、予め定められた受信機に対しては、メッセージを挿入すること無く、継続して番組情報を配送することに決定することが考慮される。
【００２７】
また第一の切替手段（３０１）または第二の切替手段（３０２）は、放送番組生成手段（１００）が複数種類の番組情報を生成する場合に、各種番組情報に対してメッセージ生成手段（２００）が生成する各種メッセージを、メッセージ配送先決定手段（６００）により決定された受信機に配送させることが考慮される。
【００２８】
従って、放送システムは、各受信者に有効と想定されるメッセージのみを番組情報に挿入して配送する為、受信者は、不要なメッセージを受信させられる機会が大幅に減少し、当該放送システムのサービス性が大幅に向上する。
【００２９】
【実施例】
以下、本発明の一実施例を図面により説明する。
図２は本発明（請求項１）の一実施例による放送システムを示す図であり、図３は図２における個人情報データベースの一例を示す図であり、図４は図２におけるＣＭデータベースの一例を示す図であり、図５は本発明（請求項２）の一実施例による放送システムを示す図であり、図６は本発明（請求項３）の一実施例による放送システムを示す図であり、図７は本発明（請求項１、５）の一実施例による放送システムを示す図であり、図８は本発明（請求項２、５）の一実施例による放送システムを示す図である。なお、全図を通じて同一符号は同一対象物を示す。
【００３０】
なお、本発明の実施例として、番組情報に挿入されるメッセージとして、コマーシャル情報（ＣＭ）を取り挙げている。
なお各番組情報（Ｂ）は、それぞれ受信者（３）が受信料を支払って受信するものとし、番組情報（Ｂ）に挿入されるコマーシャル情報（ＣＭ）の契約者とは全く独立とし、また放送業者は、各コマーシャル情報（ＣＭ）を総ての受信者（３）に送信する義務は無いものとする。
【００３１】
最初に、本発明（請求項１）の実施例を、図２乃至図４を用いて説明する。
図２においては、図１(a) における放送番組生成手段（１００）として番組生成部（２１）が示され、また図１(a) におけるメッセージ生成手段（２００）としてＣＭ生成部（２２ａ）が示され、また図１(a) における挿入信号検出手段（４００）として挿入信号検出部（２３）が設けられ、また図１(a) における個人情報蓄積手段（５００）として個人情報データベース（２６）が設けられ、また図１(a) におけるメッセージ配送先決定手段（６００）として、制御部（２４）およびＣＭデータベース（２７）が設けられ、更に図１(a) における第一の切替手段（３０１）として、切替部（２５ａ）が設けられている。
【００３２】
ＣＭ生成部（２２ａ）は、複数種類〔＝ｎ種類〕のコマーシャル情報（ＣＭj ）〔但しｊは１乃至ｎ〕を生成し、それぞれ独立に出力する。
個人情報データベース（２６）には、図３に示される如く、各受信者（３i ）の年齢（Ｙi ）、性別（ＳＸi ）、家族構成（Ｆi ）、番組情報（Ｂ）等に紹介される商品を電話で予約・購入する、所謂テレホン・ショッピング等で購入した購入商品（ＢＧi ）、番組情報（Ｂ）の中で良く選択する視聴番組（ＣＨi ）等、受信者（３i ）が受信して有効と想定されるコマーシャル情報（ＣＭ）を決定するに有効と判定される各種情報〔以後個人情報（Ｉi ）と総称する〕が、各受信者（３i ）の電話番号（ＤＮi ）に対応して格納されている。
【００３３】
制御部（２４）は、受信者（３i ）の個人情報（Ｉi ）が個人情報データベース（２６）に格納される度に、個人情報データベース（２６）から該当する個人情報（Ｉi ）を抽出し、受信者（３i ）が受信して有効と想定されるコマーシャル情報（ＣＭj ）を決定し、決定したコマーシャル情報（ＣＭj ）の種類（ｊ）と、受信者（３i ）の電話番号（ＤＮi ）とを、ＣＭデータベース（２７）に伝達する。
【００３４】
ＣＭデータベース（２７）は、図４に示される如く、制御部（２４）から伝達されたコマーシャル情報（ＣＭj ）の種類（ｊ）と、受信者（３i ）の電話番号（ＤＮi ）とを、対応させて登録する。
【００３５】
一方、番組生成部（２１）が生成し、出力する番組情報（Ｂ）には、図９におけると同様に、コマーシャル情報（ＣＭ）を挿入すべき期間の開始を示す切替信号（ＳF ）と、前記期間の終了を示す切戻信号（ＳB ）とが挿入されている。
【００３６】
挿入信号検出部（２３）は、図９におけると同様に、番組生成部（２１）が生成し、出力する番組情報（Ｂ）に挿入されている切替信号（ＳF ）および切戻信号（ＳB ）を検出し、制御部（２４）に通知する。
【００３７】
制御部（２４）は、挿入信号検出部（２３）から切替信号（ＳF ）の検出が通知されると、ＣＭ生成部（２２ａ）を起動すると共に、切替部（２５ａ）にも切替信号（ＳF ）の検出を通知する。
【００３８】
起動されたＣＭ生成部（２２ａ）は、各コマーシャル情報（ＣＭi ）を生成し、出力すると共に、ＣＭデータベース（２７）を参照し、各コマーシャル情報（ＣＭj ）に対応して格納済の電話番号（ＤＮj1）乃至（ＤＮjk）を、コマーシャル情報（ＣＭj ）と共に切替部（２５ａ）に伝達する。
【００３９】
また制御部（２４）は、挿入信号検出部（２３）から切戻信号（ＳB ）の検出が通知されると、ＣＭ生成部（２２ａ）を起動停止すると共に、切替部（２５ａ）にも切戻信号（ＳB ）の検出を通知する。
【００４０】
切替部（２５ａ）は、制御部（２４）から切戻信号（ＳB ）の検出が通知された以後は、番組生成部（２１）から出力される番組情報（Ｂ）をセル化し、宛先情報として同報用電話番号（ＤＮ30）を付加してＡＴＭ交換網（１）に送出する。
【００４１】
その結果、放送局設備（２）からＡＴＭ交換網（１）に送出される番組情報（Ｂ）は、図９におけると同様に、同報用電話番号（ＤＮ30）により登録済の総ての受信者（３）に同報される。
【００４２】
また切替部（２５ａ）は、制御部（２４）から切替信号（ＳF ）の検出が通知されると、ＣＭ生成部（２２ａ）から出力される各コマーシャル情報（ＣＭj ）をセル化し、また各コマーシャル情報（ＣＭj ）に対応して伝達される電話番号（ＤＮj1）乃至（ＤＮjk）を宛先情報として付加してＡＴＭ交換網（１）に送出する。
【００４３】
ＡＴＭ交換網（１）は、放送局設備（２）から送出される各コマーシャル情報（ＣＭj ）を、宛先情報として付加されている電話番号（ＤＮj1）乃至（ＤＮjk）により指定される受信機（３j1）乃至（３jk）に配送〔即ち部分同報〕する。
【００４４】
なお、制御部（２４）が各個人情報データベース（２６）を参照して各コマーシャル情報（ＣＭj ）の配送先〔＝電話番号（ＤＮj1）乃至（ＤＮjk）〕を決定した段階で、ＡＴＭ交換網（１）に対して電話番号（ＤＮj1）乃至（ＤＮjk）を部分同報群（３０j ）〔＝ＤＮ30j 〕として登録して置けば、放送局設備（２）がコマーシャル情報（ＣＭj ）に部分同報用電話番号（ＤＮ30j ）を付加してＡＴＭ交換網（１）に送出することにより、ＡＴＭ交換網（１）が登録済の部分同報群（３０j ）として登録済の、総ての受信者（３j1）乃至（３jk）に同報する。
【００４５】
以上の説明から明らかな如く、本発明（請求項１）の実施例によれば、個人情報データベース（２６）に各受信者（３i ）の個人情報（Ｉi ）を登録すると、制御部（２４）が受信者（３i ）に有効と想定されるコマーシャル情報（ＣＭj ）を決定し、ＣＭデータベース（２７）にコマーシャル情報（ＣＭj ）に対応して登録して置き、コマーシャル情報（ＣＭj ）を番組情報（Ｂ）に挿入して送出する場合に、ＣＭデータベース（２７）に各コマーシャル情報（ＣＭj ）に対応して登録済の受信者（３ji）を付加して切替部（２５ａ）に通知し、切替部（２５ａ）が付加された受信者（３ji）の電話番号（ＤＮji）を宛先情報として、セル化したコマーシャル情報（ＣＭj ）に付加してＡＴＭ交換網（１）に送出する為、各受信者（３）は、それぞれ有効と想定されるコマーシャル情報（ＣＭ）のみを受信することとなる。
【００４６】
次に、本発明（請求項２）の実施例を、図５を用いて説明する。
図５においては、図１(b) における放送番組生成手段（１００）として番組生成部（２１）が示され、また図１(b) におけるメッセージ生成手段（２００）としてＣＭ生成部（２２ａ）が示され、また図１(b) における個人情報蓄積手段（５００）として個人情報データベース（２６）が設けられ、また図１(b) におけるメッセージ配送先決定手段（６００）として、制御部（２４）およびＣＭデータベース（２７）が設けられ、更に図１(b) における第二の切替手段（３０２）として、切替部（２５ａ）が設けられている。
【００４７】
個人情報データベース（２６）は、図２におけると同様に、図３に示される如き個人情報（Ｉ）を格納している。
制御部（２４）は、図２におけると同様に、個人情報データベース（２６）内の各受信者（３）に対応する個人情報（Ｉ）を解析の結果、各受信者（３）に有効と想定されるコマーシャル情報（ＣＭ）を決定し、図４に示される如きＣＭデータベース（２７）に伝達する。
【００４８】
なお図５においては、図２に示される如き挿入信号検出部（２３）が設けられていない為、制御部（２４）は、番組情報（Ｂ）内に挿入されている切替信号（ＳF ）および切戻信号（ＳB ）と無関係に、予め定められた時間間隔で、自律的にＣＭデータベース（２７）を起動すると共に、ＣＭデータベース（２７）を起動したことを切替部（２５ａ）にも通知する。
【００４９】
また制御部（２４）は、ＣＭデータベース（２７）を起動後、所定時間が経過すると、ＣＭデータベース（２７）を起動停止すると共に、ＣＭデータベース（２７）を起動停止したことを切替部（２５ａ）にも通知する。
【００５０】
ＣＭ生成部（２２ａ）および切替部（２５ａ）は、制御部（２４）から起動および起動停止させられることにより、図２におけると同様に動作する。
その結果、放送局設備（２）からＡＴＭ交換網（１）には、セル化され、宛先情報として同報用電話番号（ＤＮ30）を付加された番組情報（Ｂ）が送出され、予め定められた期間に、セル化され、それぞれ宛先情報としてＣＭデータベース（２７）にコマーシャル情報（ＣＭj ）に対応して登録されている電話番号（ＤＮj1）乃至（ＤＮjk）の付加されたコマーシャル情報（ＣＭj ）が挿入され、送出される。
【００５１】
なお制御部（２４）が、個人情報データベース（２６）を参照して各コマーシャル情報（ＣＭj ）の配送先〔＝電話番号（ＤＮj1）乃至（ＤＮjk）〕を決定した段階で、ＡＴＭ交換網（１）に対して電話番号（ＤＮj1）乃至（ＤＮjk）を部分同報群（３０j ）〔＝ＤＮ30j 〕として登録して置けば、コマーシャル情報（ＣＭj ）に部分同報用電話番号（ＤＮ30j ）を宛先情報として付加可能となることも、前述と同様である。。
【００５２】
以上の説明から明らかな如く、本発明（請求項２) の実施例によれば、制御部（２４）が番組情報（Ｂ）に挿入される切替信号（ＳF ）および切戻信号（ＳB ）によること無く、予め定められた期間に自律的にＣＭデータベース（２７）を起動し、また起動停止する以外は、総て図２に示される放送局設備（２）と同様に動作する為、前述と同様の効果が得られる。
【００５３】
次に、本発明（請求項３）の実施例を、図６を用いて説明する。
図６においては、図１(c) における放送番組生成手段（１００）として番組生成部（２１）が示され、また図１(c) におけるメッセージ生成手段（２００）としてＣＭ生成部（２２ａ）が設けられ、また図１(c) における挿入信号検出手段（４００）として挿入信号検出部（２３）が設けられ、また図１(c) における個人情報蓄積手段（５００）として個人情報データベース（２６）が設けられ、また図１(c) における複写手段（７００）として複写部（２８）が設けられ、また図１(c) における第三の切替手段（３０３）として切替部（２５ｂ）が、ＣＭ生成部（２２ａ）の生成するコマーシャル情報（ＣＭ）の種類数（＝ｎ種類）に相当するｎ組設けられ、また図１(c) におけるメッセージ配送先決定手段（６００）として制御部（２４）およびＣＭデータベース（２７）が設けられ、更に図１(c) における分配手段（８００）として分配部（２９）が設けられいる。
【００５４】
番組生成部（２１）、ＣＭ生成部（２２ａ）および挿入信号検出部（２３）は、図２におけると同様の機能を有している。
番組生成部（２１）は、図２におけると同様に、番組情報（Ｂ）を生成して出力し、挿入信号検出部（２３）を介して複写部（２８）に伝達する。
【００５５】
挿入信号検出部（２３）は、図２におけると同様に、番組情報（Ｂ）に挿入されている切替信号（ＳF ）および切戻信号（ＳB ）を検出し、ＣＭ生成部（２２ａ）および各切替部（２５ｂ）に通知する。
【００５６】
ＣＭ生成部（２２ａ）は、挿入信号検出部（２３）から切替信号（ＳF ）の検出を通知されると起動し、図２におけると同様に、ｎ種類のコマーシャル情報（ＣＭ）を生成し、ｎ組設けられている切替部（２５ｂ）に１種類宛入力し、また挿入信号検出部（２３）から切戻信号（ＳB ）の検出を通知されると起動停止し、コマーシャル情報（ＣＭ）の生成を停止する。
【００５７】
複写部（２８）は、番組生成部（２１）から挿入信号検出部（２３）を介して出力される番組情報（Ｂ）を、（ｎ＋１）組の番組情報（Ｂ）に複写し、その内ｎ組は、ｎ組設けられている切替部（２５ｂ）に１組宛入力し、残る１組は直接分配部（２９）に入力する。
【００５８】
各切替部（２５ｂ）は、挿入信号検出部（２３）から切戻信号（ＳB ）の検出を通知された後は、複写部（２８）から入力される番組情報（Ｂ）を選択し、分配部（２９）に伝達するが、挿入信号検出部（２３）から切替信号（ＳF ）の検出を通知されてから、切戻信号（ＳB ）の検出を通知される迄は、ＣＭ生成部（２２ａ）から入力される各コマーシャル情報（ＣＭ）を選択し、分配部（２９）に伝達する。
【００５９】
従って、各切替部（２５ｂ）から分配部（２９）には、同一の番組情報（Ｂ）の内、切替信号（ＳF ）および切戻信号（ＳB ）が挿入されている間に、それぞれ異なる種類のコマーシャル情報（ＣＭ）が挿入されて伝達される。
【００６０】
なお分配部（２９）には、複写部（２８）からコマーシャル情報（ＣＭ）の全く挿入されぬ番組情報（Ｂ）も伝達されている。
一方、個人情報データベース（２６）には、図３に示される如く、各受信者（３i ）の個人情報（Ｉ）が、各受信者（３i ）の電話番号（ＤＮi ）に対応して格納されている。
【００６１】
制御部（２４）は、図２におけると同様に、個人情報データベース（２６）から個人情報（Ｉi ）を抽出し、受信者（３i ）が受信して有効と想定されるコマーシャル情報（ＣＭj ）を決定し、決定したコマーシャル情報（ＣＭj ）の種類（ｊ）と、受信者（３i ）の電話番号（ＤＮi ）とを、ＣＭデータベース（２７）に伝達する。
【００６２】
ＣＭデータベース（２７）は、図４に示されると同様に、制御部（２４）から伝達されたコマーシャル情報（ＣＭj ）の種類（ｊ）と、受信者（３i ）の電話番号（ＤＮi ）とを、対応させて登録する。
【００６３】
分配部（２９）は、各切替部（２５ｂ）から伝達される、それぞれ異なるコマーシャル情報（ＣＭj ）が挿入された番組情報（Ｂ）をセル化し、挿入されているコマーシャル情報（ＣＭj ）に対応して登録済の電話番号（ＤＮj1）乃至（ＤＮjk）を宛先情報として付加し、ＡＴＭ交換網（１）に送出する。
【００６４】
ＡＴＭ交換網（１）は、放送局設備（２）から送出される各コマーシャル情報（ＣＭj ）の挿入された番組情報（Ｂ）に、宛先情報として付加されている電話番号（ＤＮj1）乃至（ＤＮjk）により指定される受信者（３j1）乃至（３jk）に配送〔即ち部分同報〕する。
【００６５】
一方、分配部（２９）は、複写部（２８）から直接伝達されている、コマーシャル情報（ＣＭ）が挿入されていない番組情報（Ｂ）を、個人情報データベース（２６）の中に、特に一切のコマーシャル情報（ＣＭ）の受信を拒否する受信者（３）が存在した場合に、本番組情報（Ｂ）をセル化し、当該受信者（３）の電話番号（ＤＮ）を宛先情報として付加し、ＡＴＭ交換網（１）に送出する〔本発明（請求項４）の実施例〕。
【００６６】
なお、各コマーシャル情報（ＣＭj ）の配送先〔＝電話番号（ＤＮj1）乃至（ＤＮjk）〕を、コマーシャル情報（ＣＭj ）に対応する部分同報群（３０j ）〔＝ＤＮ30j 〕としてＡＴＭ交換網（１）に登録することに関しては、図２および図３におけると同様である。
【００６７】
以上の説明から明らかな如く、本発明（請求項３）の実施例によれば、ＣＭ生成部（２２ａ）、挿入信号検出部（２３）、切替部（２５ｂ）および複写部（２８）が、それぞれ異なる種類のコマーシャル情報（ＣＭ）を切替信号（ＳF）および切戻信号（ＳB）により定まる期間に挿入したｎ組の番組情報（Ｂ）を生成し、分配部（２９）に伝達すると共に、個人情報データベース（２６）に各受信者（３i）の個人情報（Ｉi）を登録すると、制御部（２４）が受信者（３i）に有効と想定されるコマーシャル情報（ＣＭj）を決定し、分配部（２９）にコマーシャル情報（ＣＭj）に対応して登録して置き、各切替部（２５ｂ）から伝達される各コマーシャル情報（ＣＭ）の挿入された情報（Ｂ）に、各コマーシャル情報（ＣＭj）に対応して登録済の受信者（３ji）〔電話番号（ＤＮji）〕を付加して切替部（２５）に通知し、切替部（２５）が付加された受信者（３ji）の電話番号（ＤＮji）を宛先情報として、セル化したコマーシャル情報（ＣＭj）に付加してＡＴＭ交換網（１）に送出する為、各受信者（３）は、それぞれ有効と想定されるコマーシャル情報（ＣＭ）のみを受信することとなる。
【００６８】
次に、本発明（請求項１および請求項５）の実施例を、図７を用いて説明する。
図７が図２と異なる点は、図２において一組設けられていた番組生成部（２１）が、図７においては複数組（ｐ組）設けられており、それに伴い、図２において一組設けられていた挿入信号検出部（２３）が、図５においては複数組（ｐ組）設けられていることである。
【００６９】
各番組生成部（２１1 ）乃至（２１p ）は、それぞれ固有の番組情報（Ｂ1 ）乃至（Ｂp ）を生成し、出力するものとする。
各受信者（３）は、ｐ種類の中の任意の番組情報（Ｂ）を受信するものとする。
【００７０】
一方、各番組情報（Ｂ1 ）乃至（Ｂp ）に挿入されるコマーシャル情報（ＣＭ）は、図２におけると同様のｎ種類とする。
かかる場合には、各受信者（３）に配送されるコマーシャル情報（ＣＭ）は、図２におけると同様に、制御部（２４）が個人情報データベース（２６）内の個人情報（Ｉ）を抽出し、決定することとなる為、ＣＭデータベース（２７）は図２におけると同一となる。
【００７１】
従って、受信者（３）が何れの番組情報（Ｂ）を受信する状態でも、各受信者（３）に送信されるコマーシャル情報（ＣＭ）は、図２におけると同様となり、図２におけると同様の効果が得られる。
【００７２】
更に、各番組情報（Ｂ）に挿入されるコマーシャル情報（ＣＭ）が異なると仮定した場合にも、制御部（２４）が各コマーシャル情報（ＣＭ）の配送先を番組情報（Ｂ）により左右されず、各受信者（３）の個人情報（Ｉ）で決定している限り、コマーシャル情報（ＣＭ）の配送先は変わらない。
【００７３】
次に、本発明（請求項２および請求項５）の実施例を、図８を用いて説明する。
図８が図５と異なる点は、図５において一組設けられていた番組生成部（２１）が、図８においては複数組（ｐ組）設けられていることである。
【００７４】
各番組生成部（２１1 ）乃至（２１p ）は、図７におけると同様に、それぞれ固有の番組情報（Ｂ1 ）乃至（Ｂp ）を生成し、出力するものとし、また各番組情報（Ｂ1 ）乃至（Ｂp ）に挿入されるコマーシャル情報（ＣＭ）は、図５におけると同様のｎ種類とする。
【００７５】
かかる場合には、各受信者（３）に配送されるコマーシャル情報（ＣＭ）は、図５におけると同様に、受信者（３）が何れの番組情報（Ｂ）を受信する状態でも、図２におけると同様となり、図２におけると同様の効果が得られる。
【００７６】
更に、各番組情報（Ｂ）に挿入されるコマーシャル情報（ＣＭ）が異なると仮定した場合にも、制御部（２４）が各コマーシャル情報（ＣＭ）の配送先を番組情報（Ｂ）により左右されず、各受信者（３）の個人情報（Ｉ）で決定している限り、コマーシャル情報（ＣＭ）の配送先は変わらない。
【００７７】
なお、図２乃至図８はあく迄本発明の一実施例に過ぎず、例えば放送局設備（２）の構成は図示されるものに限定されることは無く、他に幾多の変形が考慮されるが、何れの場合にも本発明の効果は変わらない。また放送局設備（２）はＡＴＭ交換網（１）に収容されるものに限定されることは無く、他に幾多の変形が考慮されるが、何れの場合にも本発明の効果は変わらない。更に本発明の対象とする放送システムは、図示されるものに限定されぬことは言う迄も無い。
【００７８】
【発明の効果】
以上、本発明によれば、前記放送システムにおいて、各受信者に有効と想定されるメッセージのみを番組情報に挿入して配送する為、受信者は、不要なメッセージを受信させられる機会が大幅に減少し、当該放送システムのサービス性が大幅に向上する。
【図面の簡単な説明】
【図１】  本発明の原理を示す図で、同図(a) は本発明（請求項１）の原理を示し、同図(b) は本発明（請求項２）の原理を示し、同図(c) は本発明（請求項３）の原理を示す
【図２】  本発明（請求項１）の一実施例による放送システムを示す図
【図３】  図２における個人情報データベースの一例を示す図
【図４】  図２におけるＣＭデータベースの一例を示す図
【図５】  本発明（請求項２）の一実施例による放送システムを示す図
【図６】  本発明（請求項３）の一実施例による放送システムを示す図
【図７】  本発明（請求項１、５）の一実施例による放送システムを示す図
【図８】  本発明（請求項２、５）の一実施例による放送システムを示す図
【図９】  従来ある放送システムの一例を示す図
【符号の説明】
１  ＡＴＭ交換網
２  放送局設備
３  受信機
２１  番組生成部
２２、２２ａ  ＣＭ生成部
２３  挿入信号検出部
２４  制御部
２５、２５ａ、２５ｂ  切替部
２６  個人情報データベース
２７  ＣＭデータベース
２８  複写部
２９  分配部
３０  同報群
３０j 部分同報群
１００  放送番組生成手段
２００  メッセージ生成手段
３０１  第一の切替手段
３０２  第二の切替手段
３０３  第三の切替手段
４００  挿入信号検出手段
５００  個人情報蓄積手段
６００  メッセージ配送先決定手段
７００  複写手段
８００  分配手段
【図１】
0003641838.tif 000002
【図２】
0003641838.tif 000003
【図３】
0003641838.tif 000004
【図４】
0003641838.tif 000005
【図５】
0003641838.tif 000006
【図６】
0003641838.tif 000007
【図７】
0003641838.tif 000008
【図８】
0003641838.tif 000009
【図９】
0003641838.tif 000010